(57)【要約】【課題】３つのブランク部分によって構成されてはいるが、より容易に包装箱を形成することができる包装箱用ブランクを提供する。【解決手段】包装箱用ブランク８は、トレー部９と、この両側に接合される蓋部１０、１１を備える。蓋部１０、１１の蓋側板部１２、１４と、トレー部９のトレー側板部１８、１９に画定された噛合せ片の対２３は、噛合せ片２３ｂが、短辺が罫線により画定され、長辺及び両側縁が切断線によって形成され、噛合せ片２３ａが、短辺側の端縁がトレー側板部１８、１９の先端縁の一部となっており、長辺が罫線により画定され、両側縁が切断線によって形成される。各噛合せ片の対２３は、噛合せを行った場合に、蓋側板部１２、１４の先端縁がトレー部９のトレー側板部１８、１９と底板部１７との間の罫線上に位置するように構成される。【選択図】図２
2020192996.tif 000002
【特許請求の範囲】
【請求項１】
四角筒状の胴部と、前記胴部の両端を閉塞する一対の閉塞部とを備え、前記胴部は、底板、２つの側板、及び天板を連ねて構成される直方体状の包装箱を形成するための包装箱用ブランクであって、
トレー部と、該トレー部の左右に接合される２つの蓋部とを備え、
各蓋部は、それぞれ前記側板となる蓋側板部と、該蓋側板部の上下に罫線を介して延設された一対の蓋内フラップとを備え、
右側の前記蓋部は、さらに、前記蓋側板部の右側に罫線を介して延設され前記天板となる天板部と、該天板部の上下に罫線を介して延設された一対の蓋外フラップとを備え、
左側の前記蓋部の左側又は前記天板部の右側には、罫線を介して延設された接着片が設けられ、
前記トレー部は、前記底板となる底板部と、該底板部の左右に罫線を介して延設され左右方向の寸法が各蓋側板部よりも小さい２つのトレー側板部と、該底板部の上下に罫線を介して延設された一対のトレー外フラップと、各トレー側板部の上下に罫線を介して延設された一対のトレー内フラップとを備え、
蓋側板部及びトレー側板部には、相互に接合する噛合いを生じさせるための噛合せ片の対が罫線及び切断線によりそれぞれ画定されており、
各噛合せ片は、前記底板部側に位置する長辺と、該底板部と反対側に位置する該長辺よりも短い短辺と、該短辺及び該長辺の両側を結ぶ両側縁とを有し、
蓋側板部の前記噛合せ片は、前記短辺が罫線により画定され、前記長辺及び前記両側縁が切断線によって形成され、
トレー側板部の前記噛合せ片は、前記短辺側の端縁が該トレー側板部の先端縁の一部となっており、前記長辺が罫線により画定され、前記両側縁が切断線によって形成され、
各噛合せ片の対は、蓋側板部が、対応する前記トレー側板部の前記包装箱の内方を向く面となる側に配置された状態で噛合せを行った場合に、蓋側板部の先端縁が該トレー側板部と前記底板部との間の罫線上に位置するように構成されることを特徴とする包装箱用ブランク。
【請求項２】
前記蓋側板部には、該蓋側板部の前記噛合せ片を該蓋側板部から切り離すための開封切断線が設けられていることを特徴とする請求項１に記載の包装箱用ブランク。
【請求項３】
前記噛合せ片の対は、上下方向に間隔を開けて配列された各蓋側板部側の前記噛合せ片の配列である蓋側配列片と、各トレー側板部側の前記噛合せ片の配列であるトレー側配列片とを構成しており、
各蓋側板部には、前記包装箱の開封を補助するための開封補助部が設けられ、
各開封補助部は、
上下方向に沿った２本の切断線と該２本の切断線の中間部の間を結ぶ１本の切断線とを前記蓋側配列片の前記底板部と反対側に有する指挿入部と、
前記２本の切断線のうちの前記底板部側の切断線の両端部と、対応する前記蓋側配列片の両側の前記噛合せ片における前記両側縁の前記切断線のうちの最も上方及び下方に位置する２つの該切断線との間をそれぞれ結ぶ第１開封切断線と、
該蓋側配列片における隣り合う噛合せ片の前記長辺の間に形成された第２開封切断線とを備えることを特徴とする請求項１に記載の包装箱用ブランク。
【発明の詳細な説明】
【技術分野】
【０００１】
本発明は、包装箱用ブランクに関する。
【背景技術】
【０００２】
従来、四角筒状の胴部と、胴部の両端を閉塞する一対の閉塞部とを備え、胴部が、底板、第１側板、天板、及び第２側板を順次連ねて構成される包装箱を形成するための包装箱用ブランクが知られている（例えば、特許文献１参照）。
【０００３】
特許文献１の一態様に係る包装箱用ブランクによって形成される包装箱は、第１上方部材、第２上方部材及び下方部材により構成される。そして、包装箱用ブランクは、これらの３つの部材をそれぞれ形成するための３つのブランクにより構成される。
【０００４】
包装箱の形成に際しては、３つのブランクが接着されて包装を行うための一体化した板材が形成される。そして、この板材により、内部に包装物を配置しながら、ラップアラウンド形状の包装容器が形成される。
【先行技術文献】
【特許文献】
【０００５】
【特許文献１】特開２０１８−２７７９２号公報
【発明の概要】
【発明が解決しようとする課題】
【０００６】
しかしながら、上記特許文献１の包装用ブランクによれば、包装箱を形成する前に３つのブランクを接着により一体化したラップアラウンドケーサー用のブランクを形成する必要があるので、この作業が煩雑である。
【０００７】
本発明の目的は、かかる従来技術の課題に鑑み、３つのブランク部分によって構成されてはいるが、より容易にこれらを一体化したブランクを形成することができる包装箱用ブランクを提供することにある。
【課題を解決するための手段】
【０００８】
本発明の包装用ブランクは、
四角筒状の胴部と、前記胴部の両端を閉塞する一対の閉塞部とを備え、前記胴部は、底板、２つの側板、及び天板を連ねて構成される直方体状の包装箱を形成するための包装箱用ブランクであって、
トレー部と、該トレー部の左右に接合される２つの蓋部とを備え、
各蓋部は、それぞれ前記側板となる蓋側板部と、該蓋側板部の上下に罫線を介して延設された一対の蓋内フラップとを備え、
右側の前記蓋部は、さらに、前記蓋側板部の右側に罫線を介して延設され前記天板となる天板部と、該天板部の上下に罫線を介して延設された一対の蓋外フラップとを備え、
左側の前記蓋部の左側又は前記天板部の右側には、罫線を介して延設された接着片が設けられ、
前記トレー部は、前記底板となる底板部と、該底板部の左右に罫線を介して延設され左右方向の寸法が各蓋側板部よりも小さい２つのトレー側板部と、該底板部の上下に罫線を介して延設された一対のトレー外フラップと、各トレー側板部の上下に罫線を介して延設された一対のトレー内フラップとを備え、
蓋側板部及びトレー側板部には、相互に接合する噛合いを生じさせるための噛合せ片の対が罫線及び切断線によりそれぞれ画定されており、
各噛合せ片は、前記底板部側に位置する長辺と、該底板部と反対側に位置する該長辺よりも短い短辺と、該短辺及び該長辺の両側を結ぶ両側縁とを有し、
蓋側板部の前記噛合せ片は、前記短辺が罫線により画定され、前記長辺及び前記両側縁が切断線によって形成され、
トレー側板部の前記噛合せ片は、前記短辺側の端縁が該トレー側板部の先端縁の一部となっており、前記長辺が罫線により画定され、前記両側縁が切断線によって形成され、
各噛合せ片の対は、蓋側板部が、対応する前記トレー側板部の前記包装箱の内方を向く面となる側に配置された状態で噛合せを行った場合に、蓋側板部の先端縁が該トレー側板部と前記底板部との間の罫線上に位置するように構成されることを特徴とする。
【０００９】
本発明によれば、各蓋側板部及びその両側の蓋内フラップを、各トレー側板部及びその両側のトレー内フラップにおける包装箱の内方を向く面となる側に重ね、各蓋側板部及び各トレー側板部の各噛合せ片の対を用いて噛合せを生じさせることにより、トレー部の両側に蓋部が接合される。
【００１０】
これにより、トレー部と２つの蓋部とが一体化したラップアラウンドケーサーに適用できるブランクが形成される。したがって、この一体化したブランクの形成に接着材を用いる必要がないので、該一体化したブランクの形成に接着材を用いる場合に比べて、一体化したブランクを容易に形成することができる。
【００１１】
このとき、蓋側板部及びトレー側板部の噛合せ片の対は、蓋側板部側の噛合せ片の両側縁が、トレー側板部側における噛合せ片の両側縁の両側のブランク材部分と楔状に噛み合うので、蓋側板部とトレー側板部とを引き離す方向の力に対して大きい抵抗力を生じさせる。
【００１２】
また、一体化したブランクにおいては蓋側板部の先端縁がトレー側板部と底板部との間の罫線上に位置するので、包装箱用ブランクから形成した包装箱においては、蓋側板部の先端縁が底板により支持された状態となる。したがって、包装箱は、蓋側板部を上方に引く力に対して、また下方に押し下げる力に対しても、良好な強度を有する。
【００１３】
本発明において、前記蓋側板部には、該蓋側板部の前記噛合せ片を該蓋側板部から切り離すための開封切断線が設けられているのが好ましい。
【００１４】
これによれば、包装箱用ブランクから形成した包装箱において、トレー側板部側の噛合せ片に噛み合っている蓋側板部側の噛合せ片を、開封切断線に沿って蓋側板部から切り離すことにより、トレー側板部と蓋側板部との接合を解除することができる。その後、蓋部を引き上げて包装箱から取り除くことにより、トレー部により形成されているトレーを利用して、その内側に配列されている包装品を陳列することができる。
【００１５】
本発明において、
前記噛合せ片の対は、上下方向に間隔を開けて配列された各蓋側板部側の前記噛合せ片の配列である蓋側配列片と、各トレー側板部側の前記噛合せ片の配列であるトレー側配列片とを構成しており、
各蓋側板部には、前記包装箱の開封を補助するための開封補助部が設けられ、
各開封補助部は、
上下方向に沿った２本の切断線と該２本の切断線の中間部の間を結ぶ１本の切断線とを前記蓋側配列片の前記底板部と反対側に有する指挿入部と、
前記２本の切断線のうちの前記底板部側の切断線の両端部と、対応する前記蓋側配列片の両側の前記噛合せ片における前記両側縁の前記切断線のうちの最も上方及び下方に位置する２つの該切断線との間をそれぞれ結ぶ第１開封切断線と、
該蓋側配列片における隣り合う噛合せ片の前記長辺の間に形成された第２開封切断線とを備えてもよい。
【００１６】
これによれば、包装用ブランクで形成された包装箱の蓋側板部において、トレー側配列片と噛み合っている蓋側配列片を含む部分を、指挿入部から指を挿入し、第１開封切断線及び第２開封切断線を利用して、トレー側配列片とともに蓋側板部から分離することができる。
【００１７】
これにより、蓋部とトレー部との接合が解除されるので、容易に蓋部を引き上げて除去し、トレー部で形成されているトレーにより包装物を陳列することができる。
【図面の簡単な説明】
【００１８】
【図１】本発明の一実施形態に係る包装箱用ブランクにより形成される包装箱の斜視図である。
【図２】図１の包装箱を形成するための包装箱用ブランクの平面図である。
【図３】図２の一部を拡大して示す図である。
【図４】包装箱を開封する様子を示す斜視図である。
【図５】包装箱を開封する様子を示す別の斜視図である。
【図６】包装箱を開封してできるトレーにより包装物を陳列する様子を示す斜視図である。
【発明を実施するための形態】
【００１９】
本発明の一実施形態に係る包装箱用ブランクにより形成される包装箱１は、図１に示すような、四角筒状の胴部２と、胴部２の両端を閉塞する一対の閉塞部３とを備え、直方体状の形状を有する。胴部２は、底板４、側板５、天板６及び側板７を連ねて構成される。
【００２０】
図２に示すように、包装箱１を形成するための包装箱用ブランク８は、トレー部９と、トレー部９の左右にそれぞれ接合される蓋部１０及び蓋部１１と備える。なお、ここで、左右は、図２における左右を意味する。図２では、トレー部９、蓋部１０及び蓋部１１の表面側が示されている。この表面は、包装箱１の外側の面を構成する。
【００２１】
蓋部１０及び１１は、それぞれ包装箱１の側板５及び７となる蓋側板部１２及び１４と、蓋側板部１２及び１４の上下に罫線を介して延設された一対の蓋内フラップ１３とを備える。
【００２２】
蓋部１１は、さらに、蓋側板部１４の右側に罫線を介して延設され、包装箱１の天板６となる天板部１５と、天板部１５の上下に罫線を介して延設された一対の蓋外フラップ１６とを備える。
【００２３】
蓋側板部１２の左側又は天板部１５の右側には、罫線を介して延設された接着片２２が設けられる。
【００２４】
トレー部９は、包装箱１の底板４となる底板部１７と、底板部１７の左右にそれぞれ罫線を介して延設され、左右方向の寸法が蓋側板部１２及び１４よりも小さいトレー側板部１８及びトレー側板部１９と、底板部１７の上下に罫線を介して延設された一対のトレー外フラップ２０と、トレー側板部１８及び１９の上下に罫線を介して延設された一対のトレー内フラップ２１とを備える。
【００２５】
蓋側板部１２及び１４と、トレー側板部１８及び１９には、それぞれを相互に接合する噛合いを生じさせるための噛合せ片２３ａ及び２３ｂが、噛合せ片の対２３として、罫線及び切断線により画定されている。
【００２６】
なお、切断線は、切断されている箇所である切れ目線及び切断を補助する切断補助線を含む概念であり、切断線としては、適宜、切れ目線又は切断補助線が用いられる。
【００２７】
各噛合せ片２３ａ及び２３ｂは、底板部１７側に位置する長辺と、底板部１７と反対側に位置する該長辺よりも短い短辺と、該短辺及び該長辺の両側を結ぶ両側縁とを備えており、例えば等脚台形状の形状を有する。蓋側板部１２及び１４の噛合せ片２３ｂは、短辺が罫線により画定され、長辺及び両側縁が切断線によって形成されている。
【００２８】
トレー側板部１８及び１９の噛合せ片２３ａは、短辺側の端縁がトレー側板部１８及び１９の先端縁の一部となっており、長辺が罫線により画定され、両側縁が切断線によって形成されている。
【００２９】
各噛合せ片の対２３は、蓋側板部１２及び１４が、対応するトレー側板部１８及び１９の包装箱１の内方を向く面となる側に配置された状態で噛合せを行った場合に、蓋側板部１２及び１４の先端縁が、それぞれトレー側板部１８及び１９と底板部１７との間の罫線上に位置するように構成される。したがって、噛合せ片２３ａ及び２３ｂは、それぞれトレー側板部１８、１９及び蓋側板部１２、１４の先端縁までの距離ｄがほぼ等しい。
【００３０】
噛合せ片の対２３は、上下方向に間隔を開けて配列された蓋側板部１２、１４側の噛合せ片２３ｂの配列である蓋側配列片３０、４１と、トレー側板部１８、１９側の噛合せ片２３ａの配列であるトレー側配列片２６、４０とを構成している。
【００３１】
蓋側板部１２及び１４には、それぞれ包装箱１の開封を補助するための開封補助部３１及び３９が設けられる。図３では、開封補助部３１の詳細が示されている。
【００３２】
開封補助部３１及び３９は、上下方向に沿った２本の切断線３２及び３３と、切断線３２、３３の中間部の間を結ぶ１本の切断線３４とを蓋側配列片３０、４１の底板部１７と反対側に有する指挿入部３５と、第１開封切断線３６と、第２開封切断線３７とを備える。
【００３３】
第１開封切断線３６は、切断線３２、３３のうちの底板部１７側の切断線３３の両端部と、対応する蓋側配列片３０又は４１の両側の噛合せ片２３ｂにおける両側縁の切断線のうちの最も上方及び下方に位置する２つの切断線との間をそれぞれ結ぶ切断線である。第２開封切断線３７は、蓋側配列片３０、４１における隣り合う噛合せ片２３ｂの長辺の間に形成された切断線である。
【００３４】
この構成において、包装箱１を形成する際には、まず、トレー部９の左右方向両側に対して、それぞれ蓋部１０及び蓋部１１をトレー部９の裏面側に配置して接合する。すなわち、蓋側板部１２及びその両側の蓋内フラップ１３と、トレー側板部１８及びその両側のトレー内フラップ２１とを、トレー側配列片２６及び蓋側配列片３０の各噛合せ片２３ａ、２３ｂ及び関係する噛合せ片２４ａ、２４ｂを用いて噛み合わせることにより、トレー部９に対して蓋部１０を接合する。
【００３５】
このとき、各噛合せ片２３ａ、２３ｂによる噛合せは、各噛合せ片２３ａが各噛合せ片２３ｂの裏面側に重なるようにして行われる。これにより、蓋側配列片３０の各噛合せ片２３ｂと、トレー側配列片２６の各噛合せ片２３ａの上下方向両側のブランク部材とが楔状に噛み合うことになる。したがって、これによって生じる噛合せの強度は、左右方向において極めて高い。
【００３６】
また、同様にして蓋側板部１４及びその両側の蓋内フラップ１３と、トレー側板部１９及びその両側のトレー内フラップ２１とを、関係する各噛合せ片２３ａ、２３ｂ及び噛合せ片２４ａ、２４ｂを用いて噛み合わせることにより、トレー部９に対して蓋部１１を接合する。
【００３７】
これにより、トレー部９に対する蓋部１０及び蓋部１１の接合が完了し、ラップアラウンドケーサーにも適用できる一体化したブランクが完成する。したがって、この後、包装を行う際には、例えば、まず、底板部１７に対して、接合済みの蓋側板部１２及びトレー側板部１８を、トレー側板部１８と底板部１７との間の罫線に沿って垂直に立ち上げる。同様にして、接合済みの蓋側板部１４及びトレー側板部１９を立ち上げる。この段階で底板部１７に包装物が載置される。
【００３８】
次に、各蓋内フラップ１３及びトレー内フラップ２１を内側に折り曲げ、さらに天板部１５を蓋側板部１４との間の罫線に沿って折り曲げる。そして、各トレー外フラップ２０及び蓋外フラップ１６を内側に折り曲げて、蓋内フラップ１３及びトレー内フラップ２１に対して重なった部分を接着する。
【００３９】
さらに、接着片２２を折り曲げて天板部１５に接着する。これにより、包装物を包装した包装箱１が完成する。
【００４０】
包装箱１を開封して包装物を陳列する際には、蓋側板部１２及び１４により形成された側板５及び側板７において、図４のように、指挿入部３５から指を挿入し、切断線３３、第１開封切断線３６及び第２開封切断線３７の内側の蓋側配列片３０（図３参照）及び４１を含む部分４４を蓋側板部１２及び１４から分離する。
【００４１】
これにより、蓋側配列片３０、４１とトレー側配列片２６、４０とが噛み合った状態のまま、トレー部９から蓋部１０及び蓋部１１が分離されるので、図５のように、容易に蓋部１０及び蓋部１１を引き上げて取り去ることができる。これにより、トレー部９によって形成されたトレー４２が残され、このトレー４２により、図６のように、包装物４３を陳列することが可能となる。
【００４２】
本実施形態によれば、蓋側板部１２、１４及びトレー側板部１８、１９に噛合せ片の対２３を設けたので、トレー部９に蓋部１０及び１１を容易かつ強固に接合し、これらが一体化したブランクを形成することができる。
【００４３】
このとき、蓋側板部１２及び１４の噛合せ片２３ｂの側縁部が、トレー側板部１８及び１９側の噛合せ片２３ａの側縁部両側のブランク材部分と楔状に噛み合うので、蓋側板部１２及び１４とトレー側板部１８及び１９とを引き離す方向の力に対して大きい抵抗力を生じさせることができる。
【００４４】
また、噛合せ片２３ｂ及び２３ａから、蓋側板部１２、１４及びトレー側板部１８、１９の先端縁までのそれぞれの距離が等しいので、包装箱用ブランク８から形成した包装箱１においては、噛合せ片２３ｂ、２３ａを噛み合せた状態で、蓋側板部１２、１４の下端縁が底板４により支持された状態となる。したがって、包装箱１は、蓋部１０及び１１を上方に引く力に対して、また下方に押し下げる力に対しても、良好な強度を発揮することができる。
【００４５】
また、蓋側板部１２、１４に開封補助部３１及び３９を設けたので、形成された包装箱１から、容易に蓋部１０及び蓋部１１を取り除き、包装物４３を陳列するためのトレー４２を利用することができる。
【００４６】
以上、本発明の実施形態について説明したが、本発明はこれに限定されない。例えば、噛合せ片２３ａ、２３ｂの両側縁の形状は、直線状でなく、円弧状等の形状であってもよい。また、上記の方向を示す左及び右は、左右が逆であってもよい。
【符号の説明】
【００４７】
１…包装箱、２…胴部、３…閉塞部、４…底板、５…側板、６…天板、７…側板、８…包装箱用ブランク、９…トレー部、１０…蓋部、１１…蓋部、１２…蓋側板部、１３…蓋内フラップ、１４…蓋側板部、１５…天板部、１６…蓋外フラップ、１７…底板部、１８…トレー側板部、１９…トレー側板部、２０…トレー外フラップ、２１…トレー内フラップ、２２…接着片、２３、…噛合せ片の対、２３ａ、２３ｂ…噛合せ片、２４…噛合せ片の対、２４ａ、２４ｂ…噛合せ片、２６…トレー側配列片、３０…蓋側配列片、３１…開封補助部、３２…切断線、３３…切断線、３４…切断線、３５…指挿入部、３６…第１開封切断線、３７…第２開封切断線、３８…配列片対、３９…開封補助部、４０…トレー側配列片、４１…蓋側配列片、４２…トレー、４３…包装物、４４…部分。
【図１】
2020192996.tif 000003
【図２】
2020192996.tif 000004
【図３】
2020192996.tif 000005
【図４】
2020192996.tif 000006
【図５】
2020192996.tif 000007
【図６】
2020192996.tif 000008